(57)【要約】【課題】  より高い操作性で操作法を習得することが可能なデジタルカメラを提供する。【解決手段】  デジタルカメラ１は、操作者による指示を受け付ける操作部材２１，２２，２４，２６，２９，...を備える。デジタルカメラ１の使用方法を説明する説明モードにおいては、当該操作部材の操作に応じて擬似的な設定動作が実行される。また、説明モードにおいて特定の操作（カメラモードボタン３９の押下操作等）が検出された場合には、擬似的な設定動作における設定内容が現実の設定内容に反映される。特に、カメラモードボタン３９の押下が検出された際には、説明モードにおける擬似的な設定動作による設定内容が現実の設定内容に反映された上で、説明モードから実動モード（実際の動作を行うモード）へと切り換えられる。【選択図】図２
2006287677.tif 000002
【特許請求の範囲】
【請求項１】
デジタルカメラであって、
操作者による設定操作を受け付ける操作部材と、
前記デジタルカメラの使用方法を説明する説明モードにおいて、前記操作部材の操作に応じて擬似的な設定動作を実行する制御手段と、
を備え、
前記制御手段は、前記説明モードにおいて特定の操作が検出された場合には、前記擬似的な設定動作における設定内容を現実の設定内容に反映させることを特徴とするデジタルカメラ。
【請求項２】
請求項１に記載のデジタルカメラにおいて、
前記特定の操作は、前記デジタルカメラの使用方法を説明する前記説明モードから、前記デジタルカメラにおける実際の動作を行う実動モードへと切り換える操作であり、
前記制御手段は、前記特定の操作が検出された場合には、前記擬似的な設定動作における設定内容を現実の設定内容に反映させた上で、前記説明モードから前記実動モードへと切り換えることを特徴とするデジタルカメラ。
【請求項３】
請求項２に記載のデジタルカメラにおいて、
前記制御手段は、前記特定の操作が検出された場合には、前記説明モードにおいて複数の項目に関して擬似的に設定された設定内容を包括的に現実の設定内容に反映させることを特徴とするデジタルカメラ。
【請求項４】
請求項１から請求項３のいずれかに記載のデジタルカメラにおいて、
記録媒体が着脱自在に装着される挿入部と、
前記挿入部に装着された記録媒体の記録情報を読み出す読出手段と、
をさらに備え、
前記制御手段は、前記記録情報に説明モードに関する情報が含まれていると判定するときに、前記説明モードを起動することを特徴とするデジタルカメラ。
【請求項５】
請求項４に記載のデジタルカメラにおいて、
前記制御手段は、前記記録情報に含まれる前記デジタルカメラの販売地情報に応じて、前記説明モードにおける使用言語を決定することを特徴とするデジタルカメラ。
【発明の詳細な説明】
【技術分野】
【０００１】
本発明は、デジタルスチルカメラおよびデジタルビデオカメラなどのデジタルカメラに関する。
【背景技術】
【０００２】
ユーザがデジタルカメラを購入すると、通常、紙媒体の取扱説明書などが付属する。ユーザは、この取扱説明書を読むことによって、当該デジタルカメラの使用方法を習得することができる。
【０００３】
また、利便性を高めるため、取扱説明書を紙媒体以外の媒体（たとえば、ＣＤ−ＲＯＭあるいはメモリカード）に記録しておき、その取扱説明書の内容をパーソナルコンピュータを用いて或いは当該デジタルカメラ自体を用いて読み出すことが提案されている。
【０００４】
さらに、取扱説明書の記載内容を画面で表示するだけではなく、操作部材によるカメラ操作に応じて、そのカメラ操作について説明するガイド画像を再生画像として表示することも提案されている（たとえば、特許文献１参照）。
【０００５】
【特許文献１】特開平１０−２００７９８号公報
【発明の開示】
【発明が解決しようとする課題】
【０００６】
しかしながら、上記特許文献１に記載の技術において、カメラ操作について説明するガイド画像を閲覧してカメラの操作法を習得したとしても、所望の内容を実際に設定するためには、習得した操作法に基づく操作を再び行う必要がある。すなわち、操作者は同様の設定操作を再び行う必要があるため、利便性が十分ではないという問題が存在する。
【０００７】
そこで、この発明の課題は、より高い操作性で操作法を習得することが可能なデジタルカメラを提供することにある。
【課題を解決するための手段】
【０００８】
上記課題を解決すべく、請求項１の発明は、デジタルカメラであって、操作者による設定操作を受け付ける操作部材と、前記デジタルカメラの使用方法を説明する説明モードにおいて、前記操作部材の操作に応じて擬似的な設定動作を実行する制御手段とを備え、前記制御手段は、前記説明モードにおいて特定の操作が検出された場合には、前記擬似的な設定動作における設定内容を現実の設定内容に反映させることを特徴とする。
【０００９】
請求項２の発明は、請求項１の発明に係るデジタルカメラにおいて、前記特定の操作は、前記デジタルカメラの使用方法を説明する前記説明モードから、前記デジタルカメラにおける実際の動作を行う実動モードへと切り換える操作であり、前記制御手段は、前記特定の操作が検出された場合には、前記擬似的な設定動作における設定内容を現実の設定内容に反映させた上で、前記説明モードから前記実動モードへと切り換えることを特徴とする。
【００１０】
請求項３の発明は、請求項２の発明に係るデジタルカメラにおいて、前記制御手段は、前記特定の操作が検出された場合には、前記説明モードにおいて複数の項目に関して擬似的に設定された設定内容を包括的に現実の設定内容に反映させることを特徴とする。
【００１１】
請求項４の発明は、請求項１から請求項３のいずれかの発明に係るデジタルカメラにおいて、記録媒体が着脱自在に装着される挿入部と、前記挿入部に装着された記録媒体の記録情報を読み出す読出手段とをさらに備え、前記制御手段は、前記記録情報に説明モードに関する情報が含まれていると判定するときに、前記説明モードを起動することを特徴とする。
【００１２】
請求項５の発明は、請求項４の発明に係るデジタルカメラにおいて、前記制御手段は、前記記録情報に含まれる前記デジタルカメラの販売地情報に応じて、前記説明モードにおける使用言語を決定することを特徴とする。
【発明の効果】
【００１３】
請求項１から請求項５に記載の発明によれば、説明モードにおいて特定の操作が検出された場合には、擬似的な設定動作における設定内容が現実の設定内容に反映されるので、同様の動作を再び繰り返して設定する必要がなく、高い操作性を得ることができる。すなわち、デジタルカメラの操作法を習得するに際して、高い操作性を得ることが可能である。
【００１４】
特に請求項２に記載の発明によれば、特定の操作が検出された場合には、擬似的な設定動作における設定内容を現実の設定内容に反映させた上で、説明モードから実動モードへと切り換えられるので、説明モードにおける設定操作を引き継いだ状態で、説明モードから実動モードへと円滑に移行することが可能である。
【００１５】
また、請求項３に記載の発明によれば、特定の操作が検出された場合には、説明モードにおいて複数の項目に関して擬似的に設定された設定内容が包括的に現実の設定内容に反映されるので、個別の反映指示動作を必要とせず、非常に効率的な動作が可能になる。
【発明を実施するための最良の形態】
【００１６】
以下、本発明の実施形態を図面に基づいて説明する。
【００１７】
＜Ａ．構成＞
図１は、第１実施形態に係るデジタルカメラ１を示す正面図であり、図２は、デジタルカメラ１を示す背面図である。図１および図２に示すように、デジタルカメラ１は、撮影レンズ２と、液晶ディスプレイ（以下、ＬＣＤとも称する）３１と、ファインダ３３と、メモリーカードの挿入部であるカードスロット１９とを備える。カードスロット１９には、メモリカード（記録媒体）が着脱自在に装着される。
【００１８】
また、デジタルカメラ１は、操作部材２０（図２参照）として、モード設定ダイヤル２１、コントロールボタン２２、メニューボタン２４、制御値設定ダイヤル２５、変更ダイヤル２６、電源ボタン２８、シャッタボタン２９、およびカメラモードボタン３９などを有している。このうち、モード設定ダイヤル２１、制御値設定ダイヤル２５およびシャッタボタン２９は、本体上面に設けられており、コントロールボタン２２、メニューボタン２４、変更ダイヤル２６、電源ボタン２８、およびカメラモードボタン３９は、本体背面に設けられている。また、コントロールボタン２２は、詳細には、十字カーソルボタン２２ａ〜２２ｄおよび決定ボタン２２ｅで構成される。
【００１９】
電源ボタン２８がユーザ（操作者）によって押下されると、この押下動作に応じて電源のオン状態とオフ状態とが切り換えられる。また、モード設定ダイヤル２１、制御値設定ダイヤル２５、変更ダイヤル２６等を用いることによって、撮影モードの変更、露出パラメータの設定操作等が行われる。
【００２０】
また、メニューボタン２４がユーザ（操作者）によって押下されると、これに応じて各種メニュー画面がＬＣＤ３１に表示される。また、十字カーソルボタン２２ａ〜２２ｄおよび決定ボタン２２ｅを用いて、ＬＣＤ３１における表示カーソルを４方向に移動させて所定の項目を選択することができる。このようなメニュー選択操作によって、各種の設定項目に関する設定操作が行われる。
【００２１】
シャッタボタン２９はユーザ（操作者）による半押し状態Ｓ１（以下、Ｓ１状態とも称する）と全押し状態Ｓ２（以下、Ｓ２状態とも称する）とを区別して検出可能な２段階押し込みスイッチである。たとえば、静止画の撮影時においては、シャッタボタン２９が半押し状態Ｓ１にされると、自動合焦制御等が開始され、シャッタボタン２９が全押し状態Ｓ２にされると、記録用画像を撮影するための本撮影動作が開始され本撮影画像が取得される。
【００２２】
カメラモードボタン３９は、後述するように、「説明モード」から「カメラモード（あるいは実動モードとも称する）」への切り換え指示を与えるために用いられる。説明モード実行中に、このカメラモードボタン３９が押下されたことが検出されると、カメラモードへの切り換えが行われるとともに、説明モード実行中に行われた擬似的な設定動作における設定内容が、カメラモードへの移行後の実際の動作（撮影動作および再生動作）における設定内容（換言すれば現実の設定内容）に反映される。
【００２３】
次に、図２を参照しつつ、デジタルカメラ１の内部構成について説明する。図２は、デジタルカメラ１の内部機能を示すブロック図である。
【００２４】
撮像素子５は、被写体像を撮影して電子的な画像信号を生成する機能を有している。撮像素子５は、複数（例えば２５６０×１９２０個）の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。
【００２５】
撮像素子５から得られる画像信号はプリプロセス回路１０に与えられる。プリプロセス回路１０は、アナログ信号処理回路とＡ／Ｄ変換器とを有している。アナログ信号処理回路において画像信号（アナログ信号）に対して所定のアナログ信号処理が施される。具体的には、アナログ信号処理回路は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。また、Ａ／Ｄ変換器は、画像信号の各画素信号を所定ビット数（例えば１２ビット）のデジタル信号に変換するものである。変換後のデジタル信号は、画像データとして一時的にＲＡＭ４２内のバッファメモリに格納される。そして、バッファメモリに格納された画像データに対して、ＷＢ（ホワイトバランス）処理、γ補正処理、色補正処理等、および圧縮処理等が、画像処理回路１２によって全体制御部４０の制御下で施される。画像処理回路１２は、ＷＢ処理、γ補正処理、圧縮伸長処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。圧縮伸長処理は、画像データの圧縮処理および伸張処理である。圧縮方式としては、例えばＪＰＥＧ方式などが採用される。これらの各処理は、画像メモリ１１を適宜利用して実行される。本撮影画像は、これらの処理が施された後、メモリカード９０に格納される。
【００２６】
全体制御部４０は、内部にＣＰＵ４１とＲＡＭ４２とＲＯＭ４３とを備えたマイクロコンピュータによって構成され、マイクロコンピュータが所定のプログラムを実行することにより、上記各部を統括的に制御する。なお、ＲＡＭ４２は、高速アクセス可能な半導体メモリ（たとえばＤＲＡＭ）であり、ＲＯＭ４３は電気的にデータの書き換えが可能な不揮発性の半導体メモリ（たとえばフラッシュＲＯＭ）として構成される。
【００２７】
全体制御部４０は、表示制御部４７等の各種の機能処理部を有している。これらの各種処理部は、マイクロコンピュータが所定のプログラムを実行することにより機能的に実現される。
【００２８】
表示制御部４７は、ＬＣＤ３１における表示動作を制御する機能を有している。表示制御部４７の制御下で、ＬＣＤ３１は、撮影状態においては本撮影動作前のプレビュー表示（ライブビュー表示とも称する）等を行い、再生状態においては記録済みの画像（本撮影画像）の再生表示等を行う。ＬＣＤ３１は、所定数（ここでは３２０×２４０）の表示画素を有しており、カラー画像を表示することができる。また、後述するように、「説明モード」においては、ＬＣＤ３１は、表示制御部４７の制御下において、使用説明書の内容を表示すること、および操作に関する説明内容を表示することなども可能である。
【００２９】
また、全体制御部４０は、レンズドライバ２ｄおよびレンズ駆動機構２ｃを介して撮影レンズ２のフォーカスレンズを駆動し、自動合焦動作を行う。また、全体制御部４０は、露出制御ドライバ６ｄを介して絞り１３の絞り値およびフラッシュ６の発光を制御するとともに撮像素子ドライバ５ｄを介して撮像素子におけるシャッタスピード（露光時間）を制御することによって、自動露光制御動作等を行う。
【００３０】
さらに、デジタルカメラ１は、外部接続用のインタフェース（外部接続Ｉ／Ｆ）部３３を有している。この外部接続Ｉ／Ｆ部３３は通信ケーブル等を介して外部コンピュータ９１と通信可能にするためのインタフェースであり、例えばＵＳＢ規格に準拠した通信用インタフェース等で実現される。
【００３１】
＜Ｂ．動作＞
＜Ｂ１．動作概要＞
このデジタルカメラ１は、動作モードとして、撮影動作および再生動作を実際に行う「カメラモード（あるいは、実動モードとも称する）」と、撮影操作および再生操作を含むカメラの操作等に関する説明を行う「説明モード」とを有している。「説明モード」への移行は、各種のメモリカード９０のうち、説明モードに関する情報が書き込まれた特定のメモリカード９０Ａがカードスロット１９に装着された状態で、電源が投入されることによって行われる。あるいは、電源が投入された状態で上記特定のメモリカード９０Ａがカードスロット１９に装着された場合にも「説明モード」への移行が実現される。それ以外の状況においては、デジタルカメラ１は、電源投入に応じて「カメラモード」に移行する。なお、ここではカメラモード（実動モード）において撮影状態および再生状態のいずれの状態に遷移するかは、モード設定ダイヤル２１の設定状態に応じて決定される。具体的には、モード設定ダイヤル２１によって「再生」が指示される場合には再生状態に遷移し、モード設定ダイヤル２１によって「撮影」が指示される場合には撮影状態に遷移する。また「撮影」は、複数のサブモード（Ｐ（プログラム）モード、Ａ（絞り優先）モード、Ｓ（シャッタスピード優先）モード、Ｍ（マニュアル）モード等）を有している。いずれかのサブモードが指定されている場合に、指定されたサブモードでの撮影状態に遷移する。
【００３２】
図４は、デジタルカメラ１の動作を示すフローチャートである。図４を参照しながら、デジタルカメラ１の動作について説明する。
【００３３】
ステップＳＰ１１において、電源ボタン２８が押下されたと判定されると、さらに次のステップＳＰ１２において、メモリカード９０が装着されているか否かが判定される。
【００３４】
メモリカード９０が装着されていない場合には、ＬＣＤ３１において警告表示が行われる（ステップＳＰ１３）。この警告表示においては、たとえば、メモリカードが装着されておらずこのままでは撮影画像を保存できない旨が表示されるとともに、メモリカードを装着すべき旨が表示される。より詳細には、「メモリカードが装着されていません。メモリカードを装着してください。」などの文字が表示される。操作者は、警告表示に応じて、メモリカード９０をカードスロット１９に挿入することができる。
【００３５】
いずれかのメモリカード９０がカードスロット１９に挿入されると、ステップＳＰ１４に進む。ステップＳＰ１４においては、メモリカード９０の種類が確認される（ステップＳＰ１４）。具体的には、メモリカード９０内の記録情報（ここではファイル情報）が読み出され、メモリカード９０のルートフォルダに特定のファイル名称（たとえば、「EXPLAIN.DAT」）のデータファイルが存在するか否かが判定される。
【００３６】
そして、ステップＳＰ１５の分岐処理が行われる。
【００３７】
上記特定のファイル名称のデータファイルが存在しない場合には、当該メモリカード９０が通常の撮影画像記録用のメモリカードであると判定され、デジタルカメラ１は「カメラモード」で起動される（ステップＳＰ３０）。
【００３８】
一方、上記特定のファイル名称のデータファイルが存在する場合には、当該メモリカード９０が説明モード用のメモリカード９０Ａであると判定され（換言すれば、メモリカード９０の記録情報に説明モードに関する情報が含まれていると判定され）、デジタルカメラは「説明モード」で起動される（ステップＳＰ２０）。
【００３９】
ただし、ここでは、説明モードの起動に先立って、説明モードで使用する言語の選択処理等が行われる（ステップＳＰ１６，ＳＰ１７）。具体的には、デジタルカメラ１は、デジタルカメラ１の販売地を示す情報（販売地情報）を、デジタルカメラ１のＲＯＭ４３から読み出し（ステップＳＰ１６）、当該販売地情報に記述された「販売地」に対応する言語を説明モードにおける使用言語として決定する。たとえば、販売地が日本の場合には「日本語」が選択され、販売地が米国の場合には「英語」が選択される。
【００４０】
メモリカード９０Ａには予め複数の言語による説明用データが格納されており、このような言語選択動作によって、販売地に応じた言語を説明モードでの使用言語として適切に選択することができる。特に、複数の言語による説明用データをメモリカード９０Ａに予め格納しておくことによれば、メモリカード９０Ａを言語別に作成する必要がなく、メモリカード９０Ａの汎用化を促進することができる。
【００４１】
また、メモリカード９０Ａの空き容量には、撮影画像を記録することも可能である。換言すれば、メモリカード９０Ａは、撮影画像記録用途にも利用可能である。
【００４２】
＜Ｂ２．説明モードにおける動作＞
＜説明モード概要＞
次に、「説明モード」における動作について説明する。「説明モード」においては、ユーザは、ＬＣＤ３１での表示画面を参照しつつコントロールボタン２２を用いた簡易な操作によって、所望の説明を受けることが可能になる。
【００４３】
「説明モード」は、「チュートリアルモード」と「使用説明書モード」との２つのモードを有している。
【００４４】
「使用説明書モード」は、紙媒体による使用説明書の記載内容と同様の内容がＬＣＤ３１に表示されるモードである。具体的には、使用説明書の各ページの内容がそれぞれ画像としてメモリカード９０Ａに記録されており、ユーザの操作に応じて所望のページが呼び出されてＬＣＤ３１に表示される。
【００４５】
「チュートリアルモード」は、ユーザがデジタルカメラ１の操作部材を実際に操作しながら、デジタルカメラ１の使用方法を習得するためのモードである。この「チュートリアルモード」は、さらに「操作部材説明モード」と「目的別操作ガイドモード」との２つのモードを有している。
【００４６】
「操作部材説明モード」は、各種の操作部材のそれぞれの役割について説明するモードである。後述するように、「操作部材説明モード」においては、ユーザが或る操作部材を操作すると、その操作に応じて実際の操作時（撮影操作時および再生操作時）にどのような処理が行われるかが説明される。
【００４７】
「目的別操作ガイドモード」は、目的の処理を行うためにどのような操作が求められるかを説明するモードである。或る目的を遂げるためには通常幾つかの操作部材を順次に操作することになる。この目的別操作ガイドモードでは、その目的を遂行するための一連の操作として、どのような操作をどのような順序で行えばよいかが説明される。
【００４８】
このように、「説明モード」は、「使用説明書モード」と「操作部材説明モード」と「目的別操作ガイドモード」との合計３つのモードを有している。
【００４９】
図５は、「説明モード」における状態遷移（画面遷移）の概要を示す図である。
【００５０】
画面Ｇ１は「説明モード」で起動されたときにＬＣＤ３１に表示される初期画面である。この初期画面Ｇ１は、「チュートリアルモード」と「使用説明書モード」とのいずれかを選択するための画面である。操作者は、十字カーソルボタン２２ａ，２２ｂおよび決定ボタン２２ｅを操作することによって、所望の選択肢を選択することができる。
【００５１】
具体的には、初期画面Ｇ１において、「使用説明書モード」が選択されると、今度は画面Ｇ５がＬＣＤ３１に表示された後、「使用説明書モード」における動作が実行される。
【００５２】
また、初期画面Ｇ１において、「チュートリアルモード」が選択されると、今度は画面Ｇ２がＬＣＤ３１に表示される。画面Ｇ２は、チュートリアルモードにおける２つのモード、具体的には、「操作部材説明モード」と「目的別操作ガイドモード」とのいずれかを選択する画面である。画面Ｇ２は、「まず、操作をしてみましょう」という選択肢と、「指示に従って操作しましょう」という選択肢とを有している。前者の選択肢は「操作部材説明モード」に対応し、後者の選択肢は「目的別操作ガイドモード」に対応する。操作者は、十字カーソルボタン２２ａ，２２ｂおよび決定ボタン２２ｅを操作することによって、所望の選択肢を選択することができる。
【００５３】
画面Ｇ２において、前者の選択肢「まず、操作をしてみましょう」が選択されると、今度は画面Ｇ２１がＬＣＤ３１に表示される。画面Ｇ２１は、「操作部材説明モード」における初期画面である。以後、デジタルカメラ１は、「操作部材説明モード」で動作する。
【００５４】
また、画面Ｇ２において、後者の選択肢「指示に従って操作しましょう」が選択されると、今度は画面Ｇ３１（図５）がＬＣＤ３１に表示される。画面Ｇ３１は、「目的別操作ガイドモード」における初期画面である。以後、デジタルカメラ１は、「目的別操作ガイドモード」で動作する。
【００５５】
以上のようにして、操作者は、画面Ｇ１，Ｇ２を用いて、３つのモードのいずれかを選択することが可能である。
【００５６】
以下では、「使用説明書モード」、「操作部材説明モード」、「目的別操作ガイドモード」の各モードについて順次に説明する。
【００５７】
＜使用説明書モード＞
上述したように、初期画面Ｇ１において「使用説明書モード」が選択されると、画面Ｇ５がＬＣＤ３１に表示される。画面Ｇ５は、使用説明書モードにおける各種の選択肢を選択する画面である。操作者は、十字カーソルボタン２２ａ，２２ｂおよび決定ボタン２２ｅを操作することによって、所望の選択肢を選択することができる。選択された選択肢に応じて、使用説明書における対応部分の記載内容がＬＣＤ３１に表示される。たとえば、画面Ｇ５において「１．早わかり」が選択されると、画面Ｇ５１（図１７）がＬＣＤ３１に表示される。あるいは、画面Ｇ５において「３．撮影モード」が選択されると、画面Ｇ５２（図１８）がＬＣＤ３１に表示される。
【００５８】
画面Ｇ５での選択に応じて表示される画面Ｇ５１，Ｇ５２，...は、それぞれ、さらに所定階層数のメニュー画面を有している。そして、各メニュー画面で所望の項目を選択することによって、所望の内容をＬＣＤ３１に表示させることができる。たとえば、画面Ｇ５２（図１８）において「露出モードの設定」が選択されると、画面Ｇ５３（図１９）がＬＣＤ３１に表示される。そして、さらに画面Ｇ５３において「Ａモード」が選択されると、Ａモードに関する説明内容を有する画面Ｇ５４（図２０）がＬＣＤ３１に表示される。その他の項目についても同様である。
【００５９】
＜チュートリアルモード（操作部材説明モード）＞
また、上述したように、画面Ｇ２（図５）において前者の選択肢「まず、操作をしてみましょう」が選択されると、画面Ｇ２１がＬＣＤ３１に表示され、以後、デジタルカメラ１は、「操作部材説明モード」で動作する。
【００６０】
画面Ｇ２１がＬＣＤ３１に表示された後、ユーザが任意の操作部材を操作すると、デジタルカメラ１は、当該操作に応じた説明内容をＬＣＤ３１に表示する。なお、ここでは、モード設定ダイヤル２１によってデジタルカメラが撮影状態に設定されており、撮影状態における操作説明が実行される場合について例示する。
【００６１】
たとえば、シャッタボタン２９が押下されると、デジタルカメラ１に内蔵されたスピーカ（不図示）から、撮影時と同様のシャッタ音が音声出力されるとともに、画面Ｇ２２（図６）がＬＣＤ３１に表示される。画面Ｇ２２は、撮影時のＬＣＤ３１の表示状態を擬似的に表現する画面である。また、画面Ｇ２２には、「シャッタボタンを押すと画像が撮影されます。」との説明文が画面Ｇ２２に重ねて表示されており、シャッタボタン２９の押下に応じて撮影画像が取得される旨も併せて表示されている。
【００６２】
また、メニューボタン２４が押下されると、画面Ｇ２３（図７）がＬＣＤ３１に表示される。画面Ｇ２３は、実際の操作状態（ここでは撮影状態）において表示されるメニュー画面と同様の画面である。また、このメニュー画面Ｇ２３は、十字カーソルボタン（右ボタン）２２ｄを操作することによって、画面Ｇ２４（図８）および画面Ｇ２５（図９）へと順次に切り換わる。また、十字カーソルボタン（左ボタン）２２ｃが押下されると、逆向きに順次に表示画面が切り換えられる。各画面Ｇ２３，Ｇ２４，Ｇ２５は、それぞれ、「基本」、「応用１」、「応用２」に分類された各設定ページ中の項目を設定するものである。
【００６３】
このように左右方向の十字カーソルボタン２２ｃ，２２ｄの押下に応じて、画面Ｇ２３，Ｇ２４，Ｇ２５が切り換えられる。
【００６４】
また、画面Ｇ２３，Ｇ２４，Ｇ２５のいずれかの画面が表示された状態において、十字カーソルボタン２２ａ，２２ｂが押下されると、今度はその設定ページ内での選択項目が変更される。たとえば、画面Ｇ２３（図７）において十字カーソルボタン２２ｂが押下されると、「画像サイズ」の項目が選択される。その後、さらに十字カーソルボタン２２ｄが押下されると、画面Ｇ２６（図１０）に示すように、画像サイズの詳細選択項目（ここでは、「２５６０×１９２０」、「１６００×１２００」、「６４０×４８０」）が表示される。そして、十字カーソルボタン２２ａ，２２ｂの押下に応じて、選択用のカーソルＣＲが上下に移動し、選択対象の項目を変更することが可能になる。図１０においては、十字カーソルボタン２２ｂが押下され、カーソルＣＲが「１６００×１２００」に合わされた状態になっている。
【００６５】
その後、決定ボタン２２ｅの押下に応じて変更内容が決定される。ただし、画面Ｇ２６（図１０）において文章で説明されているように、このような決定ボタン２２ｅによる２種類の操作がシングルクリックかダブルクリックかに応じて、その後の設定内容は相違する。
【００６６】
具体的には、図１０の状態において決定ボタン２２ｅが１回押下（シングルクリック）されると、その内容が擬似的に確定され、図１１のような画面Ｇ２７がＬＣＤ３１に表示される。なお、この設定動作は擬似的に行われるものに過ぎず、実際の設定内容を設定するものではない。デジタルカメラ１内のＲＯＭ４３においては、説明モードにおける擬似的な設定内容を規定するフラグ情報ＦＱと、実際の設定内容を規定するフラグ情報ＦＴとが、それぞれ別の領域に格納されており、両フラグ情報（データ）ＦＱ，ＦＴは独立して設定される。
【００６７】
一方、図１０の状態において決定ボタン２２ｅが２回連続して押下（ダブルクリック）されると、その内容が確定されるとともに、図１２のような画面Ｇ２８がＬＣＤ３１に表示される。このようなダブルクリック操作がなされた場合には、デジタルカメラ１は、上記の画像サイズに関する擬似的な設定内容を実際の設定内容にも反映させる。具体的には、フラグ情報ＦＱ，ＦＴの双方を変更操作後の設定内容に応じた値に書き換える。これによって、以後、画像サイズに関する設定内容は、擬似的にも且つ実際にも、説明モードでの操作によって決定された値に変更される。すなわち、説明モードでの操作による変更内容が、説明モードだけでなくカメラモードでの設定内容にも反映される。
【００６８】
このように、各設定内容ごとに決定ボタン２２ｅをダブルクリックすることによって、説明モードにおける擬似的な設定内容を実際の設定内容に反映させることが可能である。
【００６９】
また、この実施形態においては、デジタルカメラ１の背面に設けられたカメラモードボタン３９を押下することによっても、説明モードにおける擬似的な設定内容を実際の設定内容に反映させることが可能である。具体的には、画面Ｇ２３〜Ｇ２８等を用いることによって複数の設定項目に関する設定内容をそれぞれ決定ボタン２２ｅのシングルクリックで決定した後に、カメラモードボタン３９を１回押下すると、複数の設定項目に関する擬似的な設定動作における設定内容が包括的に全て実際の設定内容に反映される。より詳細には、説明モードに入ったときからカメラモードに移行するまでの擬似的な設定内容が全て実際の設定内容に反映される。
【００７０】
その後、このカメラモードボタン３９の押下に応じて、デジタルカメラ１は、「説明モード」から「カメラモード」へと移行する。たとえば、カメラモードにおいて撮影状態に設定されている場合には、変更後の設定内容（たとえば変更後の画像サイズ等）による撮影動作が実行されることになる。
【００７１】
＜チュートリアルモード（目的別操作ガイドモード）＞
また、画面Ｇ２（図５）において、後者の選択肢「指示に従って操作しましょう」が選択されると、画面Ｇ３１（図５）がＬＣＤ３１に表示され、以後、デジタルカメラ１は、「目的別操作ガイドモード」で動作する。
【００７２】
画面Ｇ３１は、３つの選択肢「撮影しましょう」、「再生しましょう」、および「録音しましょう」を有している。
【００７３】
操作者は、これらの選択肢の中から所望の選択肢を選択する。ここでは、「撮影しましょう」が選択されたものとし、撮影に関するガイド動作を説明する。以後、この選択に応じて、実際のデジタルカメラ１を用いて撮影動作を行うための手順がＬＣＤ３１などを用いて順次説明される。
【００７４】
画面Ｇ３１において「撮影しましょう」が選択されると、画面Ｇ３３（図１３）がＬＣＤ３１に表示される。
【００７５】
画面Ｇ３３（図１３）は、露出モードの選択操作を促す画面である。画面Ｇ３３は、「露出モードを選んでください」との文字を表示することによって、露出モードの選択操作を促している。また、画面Ｇ３３は、「モードダイヤルで選択します」との文字を表示することによって、露出モードの選択操作の仕方を説明している。
【００７６】
露出モードの選択要求に応じて、操作者がモード設定ダイヤル２１を操作して、所望の露出モードを選択すると、その選択状況に応じた画面がＬＣＤ３１に表示される。ここでは、Ａ（絞り優先モード）モードが選択された場合を想定する。この場合には画面Ｇ３４（図１４）がＬＣＤ３１に表示される。
【００７７】
画面Ｇ３４は、絞り値の設定操作を促す画面である。画面Ｇ３４は、「Ａモードは、絞り優先モードです。」との文字を表示することによって、Ａモードが選択されていることを示すとともに、「右手親指付近のダイヤルで、絞り値を決めて下さい。」との文字を表示することによって、絞り値の設定操作の仕方を説明するとともに絞り値の設定要求を出力している。
【００７８】
絞り値の設定要求に応じて、操作者が変更ダイヤル２６を操作して、所望の絞り値を選択すると、その設定値を表示する画面Ｇ３５（図１５）がＬＣＤ３１に表示される。画面Ｇ３５においては、設定された絞り値（Ｆナンバー（ＦＮｏ））の値（ここでは、５．６）が表示される。
【００７９】
そして、絞り値の設定操作が終了して所定時間が経過すると、次の指示を与える画面Ｇ３６（図１６）がＬＣＤ３１に表示される。
【００８０】
画面Ｇ３６は、「カメラを構えて、ファインダを覗いて下さい。」との文字を有している。操作者は、画面Ｇ３６に示された指示にしたがってファインダを覗くと、さらに次の指示を与える画面Ｇ３７（不図示）がＬＣＤ３１に表示される。
【００８１】
以後同様に、操作者は、ＬＣＤ３１に順次に表示される複数の画面の指示に従ってデジタルカメラ１の操作部材を実際に操作しながら、撮影動作を実行するための一連の操作に関する説明を受けることができる。なお、「目的別操作ガイドモード」においては、操作説明に主眼が置かれており、通常操作では実際の撮影画像は記録されない。
【００８２】
また、上記のような「目的別操作ガイドモード」において、カメラモードボタン３９が押下されると、「目的別操作ガイドモード」における設定内容が反映された状態で、「カメラモード」へと切り換えられる。たとえば、図１３〜図１６を用いて説明した動作の後に、カメラモードボタン３９が押下された場合には、絞り優先モードで絞り値（ＦＮｏ．）が５．６に設定された状態で、そのままカメラモード（詳細には撮影モード）にする。その後、変更ダイヤル２６が操作されずにシャッタボタン２９が押下されると、その設定内容が維持されたまま、撮影動作が行われる。
【００８３】
このように、「目的別操作ガイドモード」において、カメラモードボタン３９が押下されると、それまでのチュートリアルモードから引き続いてカメラモードへと連続的に移行することが可能である。そして、カメラモードへの移行後は、通常の撮影指示操作（具体的には、シャッタボタン２９の押下）に応じて、実際の撮影画像が記録される。
【００８４】
以上のように、説明モード（目的別操作ガイドモードまたは操作部材説明モード）においてカメラモードボタン３９による操作（あるいは決定ボタン２２ｅのダブルクリック操作）が検出された場合には、説明モードにおける擬似的な設定動作による設定内容が現実の設定内容に反映されるので、同様の動作を再び繰り返して設定する必要がなく、高い操作性を得ることができる。すなわち、デジタルカメラの操作法を習得するに際して、高い操作性を得ることが可能である。
【００８５】
また、カメラモードボタン３９による切り換え操作が検出された場合には、説明モード中での擬似的な設定動作における設定内容を現実の設定内容に反映させた上で、説明モードから実動モードへと切り換えられる。したがって、説明モードにおける設定操作を引き継いだ状態で、説明モードから実動モードへと円滑に移行することが可能である。
【００８６】
さらに、カメラモードボタン３９による切り換えが検出された場合には、説明モードにおいて複数の項目に関して擬似的に設定された設定内容が包括的に現実の設定内容に反映されるので、個別の反映指示動作を必要とせず、非常に効率的な動作が可能になる。
【００８７】
なお、上記においては、主に撮影状態について説明したが、これに限定されず再生状態においても同様の処理が行われる。たとえば、操作部材説明モードにおいて、モード設定ダイヤル２１によってデジタルカメラが再生状態に設定されている場合には、再生状態における操作説明が実行される。そして、再生状態におけるメニューボタン２４の押下に応じて表示される種々の画面等に応じて、再生に関連する設定操作の説明が行われる。説明に応じて行われた設定操作の内容は、原則として擬似的に確定される。ただし、上記と同様に、決定ボタン２２ｅがダブルクリックされた場合、およびカメラモードボタン３９が押下された場合には、擬似的な設定内容が現実の設定内容に反映される。
【００８８】
＜Ｃ．変形例＞
以上、この発明の実施の形態について説明したが、この発明は上記説明した内容のものに限定されるものではない。
【００８９】
たとえば、上記実施形態においては、決定ボタン２２ｅのダブルクリック操作に応じて、説明モードにおける設定内容を現実の設定内容に反映させる場合を例示したが、これに限定されない。具体的には、決定ボタン２２ｅの長押し操作等に応じて、説明モードにおける設定内容を現実の設定内容に反映させるようにしてもよい。
【００９０】
また、上記実施形態においては、ＬＣＤ３１（表示手段）を用いて設定操作を説明する場合を例示したが、これに限定されず、スピーカからの音声出力を用いて設定操作を説明するようにしてもよい。
【図面の簡単な説明】
【００９１】
【図１】第１実施形態に係るデジタルカメラを示す正面図である。
【図２】デジタルカメラを示す背面図である。
【図３】デジタルカメラの内部機能を示すブロック図である。
【図４】デジタルカメラの動作を示すフローチャートである。
【図５】説明モードにおける画面遷移の概要を示す図である。
【図６】操作部材説明モードにおける画面を示す図である。
【図７】操作部材説明モードにおける画面を示す図である。
【図８】操作部材説明モードにおける画面を示す図である。
【図９】操作部材説明モードにおける画面を示す図である。
【図１０】操作部材説明モードにおける画面を示す図である。
【図１１】操作部材説明モードにおける画面を示す図である。
【図１２】操作部材説明モードにおける画面を示す図である。
【図１３】目的別操作ガイドモードにおける画面を示す図である。
【図１４】目的別操作ガイドモードにおける画面を示す図である。
【図１５】目的別操作ガイドモードにおける画面を示す図である。
【図１６】目的別操作ガイドモードにおける画面を示す図である。
【図１７】使用説明書モードにおける画面を示す図である。
【図１８】使用説明書モードにおける画面を示す図である。
【図１９】使用説明書モードにおける画面を示す図である。
【図２０】使用説明書モードにおける画面を示す図である。
【符号の説明】
【００９２】
１  デジタルカメラ
１９  カードスロット
２１  モード設定ダイヤル
２２  コントロールボタン
２２ａ〜２２ｄ  十字カーソルボタン
２２ｅ  決定ボタン
２４  メニューボタン
２５  制御値設定ダイヤル
２６  変更ダイヤル
２８  電源ボタン
２９  シャッタボタン
３１  ＬＣＤ
３９  カメラモードボタン
９０，９０Ａ  メモリカード
【図１】
2006287677.tif 000003
【図２】
2006287677.tif 000004
【図３】
2006287677.tif 000005
【図４】
2006287677.tif 000006
【図５】
2006287677.tif 000007
【図６】
2006287677.tif 000008
【図７】
2006287677.tif 000009
【図８】
2006287677.tif 000010
【図９】
2006287677.tif 000011
【図１０】
2006287677.tif 000012
【図１１】
2006287677.tif 000013
【図１２】
2006287677.tif 000014
【図１３】
2006287677.tif 000015
【図１４】
2006287677.tif 000016
【図１５】
2006287677.tif 000017
【図１６】
2006287677.tif 000018
【図１７】
2006287677.tif 000019
【図１８】
2006287677.tif 000020
【図１９】
2006287677.tif 000021
【図２０】
2006287677.tif 000022